(57)【要約】      （修正有）【課題】バッフルバーに製紙原料が留まることを防止したスクリーン装置を提供する。【解決手段】スクリーン装置は、製紙原料を受け入れる槽と、この槽を一次室と二次室に仕切る円筒形状のスクリーン２と、槽の一次室に連通して槽に前記製紙原料を供給する製紙原料供給通路と、一次室に連通し、スクリーン２を通過しない異物を含む前記製紙原料を槽の外へ排出する異物排出通路と、二次室に連通し、スクリーン２を通過した前記製紙原料を槽の外へ排出する製紙原料排出通路と、スクリーン２の内側である一次室に回転自在に設けられ、一次室内の前記製紙原料を攪拌する円筒形状のローターとを備えたスクリーン装置であって、スクリーン２の内側表面にバッフルバー８が設けられ、このバッフルバー８は、ロータの回転方向に対してバッフルバー８の上端部８Ａがバッフルバー８の下端部８Ｂより近づくように傾斜している。【選択図】図２
0003214819.tif 000002
【実用新案登録請求の範囲】
【請求項１】
製紙原料を受け入れる槽と、
この槽を一次室と二次室に仕切る円筒形状のスクリーンと、
前記槽の前記一次室に連通して前記槽に前記製紙原料を供給する製紙原料供給通路と
、
前記一次室に連通し、前記スクリーンを通過しない異物を含む前記製紙原料を前記槽
の外へ排出する異物排出通路と、
前記二次室に連通し、前記スクリーンを通過した前記製紙原料を前記槽の外へ排出す
る製紙原料排出通路と、
前記スクリーンの内側である前記一次室に回転自在に設けられ、前記一次室内の前記
製紙原料を攪拌する円筒形状のローターとを備えたスクリーン装置であって、
前記スクリーンの内側表面にバッフルバーが設けられ、このバッフルバーは、前記ロータの回転方向に対して前記バッフルバーの上端部が前記バッフルバーの下端部より近づくように傾斜している
ことを特徴とするスクリーン装置。
【請求項２】
製紙原料を受け入れる槽と、
この槽を一次室と二次室に仕切る円筒形状のスクリーンと、
前記槽の前記一次室に連通して前記槽に前記製紙原料を供給する製紙原料供給通路と
、
前記一次室に連通し、前記スクリーンを通過しない異物を含む前記製紙原料を前記槽
の外へ排出する異物排出通路と、
前記二次室に連通し、前記スクリーンを通過した前記製紙原料を前記槽の外へ排出す
る製紙原料排出通路と、
前記スクリーンの内側である前記一次室に回転自在に設けられ、前記一次室内の前記
製紙原料を攪拌する円筒形状のローターとを備えたスクリーン装置であって、
前記スクリーンの内側表面にバッフルバーが設けられ、このバッフルバーは、前記ロータの回転方向に対して前記バッフルバーの下端部が前記バッフルバーの上端部より近づくように傾斜している
ことを特徴とするスクリーン装置。
【請求項３】
円筒形状のスクリーンは、円筒形状のスクリーンを積層して形成されたものであり、
積層して形成されたスクリーンは、上部スクリーンと下部スクリーンとを有し、
前記上部スクリーンのバッフルバーの下端部の延長線上に前記下部スクリーンのバッフルバーの上端部が位置している
ことを特徴とする請求項１又は請求項２記載のスクリーン装置。
【考案の詳細な説明】
【技術分野】
【０００１】
本考案は、スクリーン装置に係り、特に、バッフルバーに製紙原料が留まることを防止したスクリーン装置に関する。
【背景技術】
【０００２】
製紙原料をスクリーンによって精選するスクリーン装置がある。
このスクリーン装置は、円筒形状のスクリーンの内側表面に円筒形状のスクリーンの軸方向に平行なバッフルバーを設け、バッフルバーに衝突した製紙原料中の未溶解片を、離解するようにしている。
【考案の概要】
【考案が解決しようとする課題】
【０００３】
ところが、上記スクリーン装置にあっては、バッフルバーに衝突した製紙原料がバッフルバーに留まり、離解が良好に行えないという問題点が生じた。
【０００４】
本考案の目的は、上記の問題点を考慮してなされたもので、バッフルバーに製紙原料が留まることを防止したスクリーン装置を提供することにある。
【課題を解決するための手段】
【０００５】
請求項１記載のスクリーン装置は、製紙原料を受け入れる槽と、この槽を一次室と二次室に仕切る円筒形状のスクリーンと、前記槽の前記一次室に連通して前記槽に前記製紙原料を供給する製紙原料供給通路と、前記一次室に連通し、前記スクリーンを通過しない異物を含む前記製紙原料を前記槽の外へ排出する異物排出通路と、前記二次室に連通し、前記スクリーンを通過した前記製紙原料を前記槽の外へ排出する製紙原料排出通路と、前記スクリーンの内側である前記一次室に回転自在に設けられ、前記一次室内の前記製紙原料を攪拌する円筒形状のローターとを備えたスクリーン装置であって、前記スクリーンの内側表面にバッフルバーが設けられ、このバッフルバーは、前記ロータの回転方向に対して前記バッフルバーの上端部が前記バッフルバーの下端部より近づくように傾斜しているものである。
【０００６】
また、請求項２記載のスクリーン装置は、製紙原料を受け入れる槽と、この槽を一次室と二次室に仕切る円筒形状のスクリーンと、前記槽の前記一次室に連通して前記槽に前記製紙原料を供給する製紙原料供給通路と、前記一次室に連通し、前記スクリーンを通過しない異物を含む前記製紙原料を前記槽の外へ排出する異物排出通路と、前記二次室に連通し、前記スクリーンを通過した前記製紙原料を前記槽の外へ排出する製紙原料排出通路と、前記スクリーンの内側である前記一次室に回転自在に設けられ、前記一次室内の前記製紙原料を攪拌する円筒形状のローターとを備えたスクリーン装置であって、前記スクリーンの内側表面にバッフルバーが設けられ、このバッフルバーは、前記ロータの回転方向に対して前記バッフルバーの下端部が前記バッフルバーの上端部より近づくように傾斜しているものである。
【０００７】
また、請求項３記載のスクリーン装置は、請求項１又は請求項２記載のスクリーン装置において、円筒形状のスクリーンは、円筒形状のスクリーンを積層して形成されたものであり、積層して形成されたスクリーンは、上部スクリーンと下部スクリーンとを有し、前記上部スクリーンのバッフルバーの下端部の延長線上に前記下部スクリーンのバッフルバーの上端部が位置しているものである。
【考案の効果】
【０００８】
請求項１記載のスクリーン装置によれば、ロータの回転方向に対してバッフルバーの上端部がバッフルバーの下端部より近づくように傾斜しているため、バッフルバーに衝突した製紙原料は、バッフルバーに沿って導かれ、バッフルバーに製紙原料が留まることなく押しだされる。その結果、バッフルバーにからんで成長しやすい製紙原料も排出されやすくなり、しかも、バッフルバーに衝突した製紙原料中の未溶解片は、離解されると共に、製紙原料の上流側に戻されるように作用して、製紙原料中の異物と良質繊維の分別効果をより向上させることができる。
【０００９】
また、請求項２記載のスクリーン装置によれば、ロータの回転方向に対してバッフルバーの下端部がバッフルバーの上端部より近づくように傾斜しているため、バッフルバーに衝突した製紙原料は、バッフルバーに沿って導かれ、バッフルバーに製紙原料が留まることなく押しだされる。その結果、バッフルバー８にからんで成長しやすい製紙原料も排出されやすくなり、製紙原料中の異物と良質繊維の分別効果をより向上させることができる。
【００１０】
また、請求項３記載のスクリーン装置によれば、上述した請求項１又は請求項２載の考案の効果に加え、上部スクリーンのバッフルバーの下端部の延長線上に前記下部スクリーンのバッフルバーの上端部が位置しているため、バッフルバーに衝突した製紙原料は、上部スクリーンのバッフルバー、下部スクリーンのバッフルバーに沿って、略連続的に導かれ、バッフルバーに製紙原料が留まることが防止され、しかも、ロータの回転方向に対してバッフルバーの上端部がバッフルバーの下端部より近づくように傾斜している場合にあっては、バッフルバーに衝突した製紙原料中の未溶解片は、離解されると共に、製紙原料の上流側に戻されるように作用して、製紙原料中の異物と良質繊維の分別効果をより向上させることができる。
【図面の簡単な説明】
【００１１】
【図１】図１は、本考案の一実施例のスクリーン装置の概略的図である。
【図２】図２は、図１のスクリーンの概略的図である。
【図３】図３は、図２のスクリーンと異なる他の実施例のスクリーンの概略的図である。
【考案を実施するための形態】
【００１２】
本考案の一実施例のスクリーン装置を図１及び図２を参照して説明する。
Ａはスクリーン装置で、スクリーン装置Ａは、製紙原料を受け入れる槽１と、この槽１を一次室１１と二次室１２に仕切る円筒形状のスクリーン２と、スクリーン２の内側である一次室１１に回転自在に設けられ、一次室１１内の製紙原料を攪拌する円筒形状のローター６とを有する。
【００１３】
スクリーン２は、例えば、円筒形状の側面に製紙原料を通過させる複数の開口部２１
［開口部２１は、例えば、棒状の長手形状部材を隙間（長手形状の隙間）を有して環状に
並設した場合の隙間、円筒形状の側面に設けた丸孔、スリット（例えば、細長い長方形状
の隙間）］を有したもので、底面部２２を開放して槽１内に立設して固定されている。
また、図２に示すように、スクリーン２の内側表面にバッフルバー８が設けられ、このバッフルバー８は、ローター６の回転方向に対してバッフルバー８の上端部８Ａがバッフルバー８の下端部８Ｂより近づくように傾斜している。
【００１４】
また、上述した製紙用ローター６には、図示しないが、ローター６の両端面を除く側面に突出するように撹拌部材（図示せず）が設けられている。
【００１５】
３は、槽１の一次室１１に連通して槽１に製紙原料を供給する製紙原料供給通路で、
４は、一次室１１に連通し、スクリーン２を通過しない異物を含む製紙原料を槽１の外へ排出する異物排出通路で、５は、二次室１２に連通し、スクリーン２を通過した製紙原料を槽１の外へ排出する製紙原料排出通路である。なお、製紙用ローター６は、図示しないモーターから動力伝達部材７（例えば、ベルト）を介して回転するようになっている。
【００１６】
従って、製紙原料は、製紙原料供給通路３を介して一次室１１内に供給される。一次室１１内の製紙原料は、円筒形状のローター６により撹拌され、バッフルバー８に衝突した製紙原料は、傾斜したバッフルバー８に沿って導かれ、バッフルバー８に製紙原料が留まることなく押しだされる。その結果、バッフルバー８にからんで成長しやすい製紙原料も排出されやすくなり、しかも、バッフルバー８に衝突した製紙原料中の未溶解片は、離解されると共に、製紙原料の上流側に戻されるように作用して、製紙原料中の異物と良質繊維の分別効果をより向上させることができる。
【００１７】
その結果、精選効率を高めて、スクリーン２により精選された製紙原料は、製紙原料
排出通路５を介して槽１の外へと排出され、スクリーン２を通過できない異物を含む製紙
原料は、異物排出通路４を介して槽１の外へと排出されることとなる。
なお、製紙原料は、製紙用ローター６の回転に伴い撹拌部材（図示せず）も回転し、撹拌部材（図示せず）の前部で、スクリーン２に対し加圧を生じさせると共に、（図示せず）の後部で、スクリーン２に対し負圧を生じさせて、スクリーン２に対し、目洗いの作用を行い製紙原料を精選していく。
【００１８】
なお、上述した円筒形状のスクリーン２は、例えば、図２に示すように、円筒形状のスクリーンを積層して形成されたものであり、積層して形成されたスクリーン２は、上部スクリーン２１と下部スクリーン２１’とを有し、上部スクリーン２１のバッフルバー８の下端部８Ｂの延長線上に下部スクリーン２１’のバッフルバー８の上端部８Ａが位置している。
【００１９】
その結果、バッフルバー８に衝突した製紙原料は、上部スクリーン２１のバッフルバー８、下部スクリーン２１’のバッフルバー８に沿って略連続的に導かれ、バッフルバー８に製紙原料が留まることが防止され、しかも、バッフルバー８に衝突した製紙原料中の未溶解片は、離解されると共に、製紙原料の上流側に戻されるように作用して、製紙原料中の異物と良質繊維の分別効果をより向上させることができる。
【００２０】
なお、上述した実施例においては、バッフルバー８は、ロータ６の回転方向に対してバッフルバー８の上端部８Ａがバッフルバー８の下端部８Ｂより近づくように傾斜しているが、本願考案にあっては、これに限らず、図２記載のロータ６の回転方向Ｘと逆方向Ｙになるようにしても良い（図３参照）。
【００２１】
即ち、ロータ６の回転方向Ｙ（図２記載のロータ６の回転方向Ｘと逆方向Ｙ）に対してバッフルバー８の下端部８Ａがバッフルバー８の上端部８Ｂより近づくように傾斜するようにする。
【００２２】
このスクリーン装置にあっても、製紙原料は、製紙原料供給通路３を介して一次室１１内に供給される。一次室１１内の製紙原料は、円筒形状のローター６により撹拌され、バッフルバー８に衝突した製紙原料は、傾斜したバッフルバー８に沿って導かれ、バッフルバー８に製紙原料が留まることなく押しだされる。その結果、バッフルバー８にからんで成長しやすい製紙原料も排出されやすくなり、製紙原料中の異物と良質繊維の分別効果をより向上させることができる。
【符号の説明】
【００２３】
Ａ      スクリーン装置
１      槽
１１      一次室
１２      二次室
２      スクリーン
３      製紙原料供給通路
４      異物排出通路
５      製紙原料排出通路
６      円筒形状のローター
８      バッフルバー
８Ａ    上端部
８Ｂ    下端部
【図１】
0003214819.tif 000003
【図２】
0003214819.tif 000004
【図３】
0003214819.tif 000005